(57)【特許請求の範囲】
【請求項１】
複数のユニットを組み合わせて建てられる複数階のユニット式建物の配管施工方法であって、
複数本の縦配管が内部に施される下階ユニットを配置した後、下階ユニットと上階ユニットとの接合面の近傍に、この接合面に沿って配置されて前記複数本の縦配管のうちの所定の縦配管どうしを接続する水平配管を前記下階ユニットの天井小梁の上に設置し、その後、上階ユニットを配置することを特徴とするユニット式建物の配管施工方法。
【請求項２】
請求項１に記載したユニット式建物の配管施工方法において、前記水平配管および縦配管は、ガスを流通させるガス配管であることを特徴とするユニット式建物の配管施工方法。
【請求項３】
請求項１に記載したユニット式建物の配管施工方法において、前記水平配管および縦配管は、水道水を流通させる水道配管であることを特徴とするユニット式建物の配管施工方法。
【発明の詳細な説明】
【０００１】
【産業上の利用分野】
本発明は、複数のユニットを組み合わせて建てられる複数階のユニット式建物の配管施工方法に関し、アパート等の集合住宅内にガス配管や水道配管等の各種の配管を施す場合などに利用できる。
【０００２】
【背景技術】
従来より、複数のユニットを組み合わせて建てられる複数階のユニット式建物内に、ガス配管や水道配管等の各種の配管を施す際には、次のような手順で配管作業が行われていた。
すなわち、先ず、基礎の上に下階ユニットを配置し、この下階ユニットの上に上階ユニットを配置して各階のユニットの配置を完了させる。
次に、下階ユニットおよび上階ユニットの内部に、それぞれ複数本の縦配管を施すとともに、下階ユニットと上階ユニットとの接合面の近傍に、下階ユニットの複数本の縦配管のうちの所定の縦配管どうしを接続するための水平配管を施し、これらの配管の接続を適宜行っていた。
特に、ガス配管等の場合には、安全性を考慮した法規制により、ユニットの内部に予め工場で配管施工を行っておくことができないので、このような各階のユニットの配置完了後に現場で配管施工を行う方法を採らざるを得なかった。
【０００３】
【発明が解決しようとする課題】
しかしながら、前述したような各階のユニットの配置を完了させた後に配管作業を行う配管施工方法では、下階ユニットおよび上階ユニットが組み立てられた状態で配管を通す作業を行わなければならないため、配管作業に手間がかかり、建築工期が延びてしまうという問題があった。
特に、下階ユニットと上階ユニットとの接合面の近傍に水平配管を通す作業は、下階ユニットの上に上階ユニットが積み上げられた状態では、上階ユニットの存在により作業に制約が生じるため、非常に困難なものとなっていた。
【０００４】
本発明の目的は、建物内に水平配管を含む配管を容易に施すことができ、建築工期を短縮できるユニット式建物の配管施工方法を提供することにある。
【０００５】
【課題を解決するための手段】
本発明は、上階ユニットを下階ユニットの上に配置する前に水平配管を施して前記目的を達成しようとするものである。
具体的には、本発明の第一発明は、複数のユニットを組み合わせて建てられる複数階のユニット式建物の配管施工方法であって、複数本の縦配管が内部に施される下階ユニットを配置した後、下階ユニットと上階ユニットとの接合面の近傍に、この接合面に沿って配置されて前記複数本の縦配管のうちの所定の縦配管どうしを接続する水平配管を前記下階ユニットの天井小梁の上に設置し、その後、上階ユニットを配置することを特徴とする。
【０００６】
また、本発明の第二発明に係るユニット式建物の配管施工方法は、前記水平配管および縦配管が、ガスを流通させるガス配管であることを特徴とする。
さらに、本発明の第三発明に係るユニット式建物の配管施工方法は、前記水平配管および縦配管が、水道水を流通させる水道配管であることを特徴とする。
【０００７】
【作用】
このような本発明においては、複数本の縦配管が内部に施される下階ユニットを配置した後、この下階ユニットの上に上階ユニットを配置する前に、下階ユニットと上階ユニットとの接合面の近傍に、この接合面に沿って配置される水平配管を施す。この水平配管は、下階ユニット内の複数本の縦配管のうちの所定の縦配管どうしを接続するための配管である。
そして、水平配管の配置を完了した後、上階ユニットを配置することにより、各階のユニットの配置および建物内の配管施工を行い、ユニット式建物の建築を完了する。
【０００８】
この際、下階ユニットと上階ユニットとの接合面の近傍に配置される水平配管は、従来のように上階ユニットを配置した後に配置されるのではなく、上階ユニットを配置する前に配置されるので、上階ユニットがない状態で下階ユニットの上面部分において水平配管の施工が行われるようになる。
このため、従来のように上階ユニットの存在により配管作業に制約が生じて施工が困難になるという不都合は解消され、建築工期の短縮が図られ、これらにより前記目的が達成される。
【０００９】
また、このような配管施工方法は、ガスを流通させるガス配管や水道水を流通させる水道配管等の各種の配管の施工に適用されるが、特にガス配管等の場合には、法規制により現場での配管施工作業が必須となるため、つまり予め工場でユニット内に配管施工を行っておくことができないため、このような配管施工方法を行うことで、配管作業の容易化の効果がより充分に得られる。
【００１０】
そして、水平配管を下階ユニットの天井小梁の上に設置するようにしたため、水平配管の配置場所が確実に確保されるうえ、水平配管を施すための特別な支持部材等を別途に設ける必要がないので、下階ユニットと上階ユニットとの接合面の近傍の構造が簡略化され、この接合面の近傍の空間を、例えば、収納空間等として用いることにより空間の有効利用を図ることが可能となる。
【００１１】
【実施例】
以下、本発明の一実施例を図面に基づいて説明する。
図１には、本発明の配管施工方法が適用されるユニット式建物１０の概略構成が分解状態で示されている。また、図２には、このユニット式建物１０の一部が斜視状態で示されている。
図１および図２において、ユニット式建物１０は、複数の箱型ユニットを組み合わせて建てられる二階建てのアパート等の集合住宅である。
基礎１１の上には、一階部分を構成する複数個のユニット１２が配置され、さらにこれらの各ユニット１２の上には、二階部分を構成する複数個のユニット２２が配置されている。
また、ユニット式建物１０には、各ユニット１２，２２の玄関１３に面するように配置されてこれらの各玄関１３を連絡する外廊下１４が各階毎に設けられている。
【００１２】
ユニット式建物１０の内部には、各世帯に供給する都市ガス等のガスを流通させるためのガス配管３０が設けられている。
ガス配管３０は、外部から基礎１１に囲まれた空間内に至るように設けられた基管３１と、この基管３１から分岐して縦方向に配置された縦配管である枝管３２と、この枝管３２からさらに分岐してガスを一階および二階の各世帯（各ユニット１２，２２）に分配する端末管３３とを備えている。
【００１３】
枝管３２は、一階部分に配置される一階用枝管３２Ａと、二階部分に配置される二階用枝管３２Ｂとにより構成されている。
端末管３３は、枝管３２に接続されて枝管３２に沿うように縦方向に配置された縦配管である配管３３Ａと、各世帯内のガスレンジ、ガスストーブ、ガスコンロ等の各種のガス機器４０を接続するためのガス栓に至るように縦方向に配置された縦配管である配管３３Ｂと、これらの縦配管である配管３３Ａ，３３Ｂどうしを接続する水平配管３３Ｃとにより構成されている。
【００１４】
各ユニット１２，２２には、それぞれガス配管３０を通すための二本の配管スペース４１，４２が縦方向に設けられている。
各配管スペース４１の内部には、それぞれ枝管３２、および端末管３３を構成する配管３３Ａが配置されている。
また、各配管スペース４２の内部には、それぞれ端末管３３を構成する配管３３Ｂが配置されている。
【００１５】
各階の水平配管３３Ｃは、各階の配管３３Ａ，３３Ｂの上端部どうしを接続するように各ユニット１２，２２の天井小梁４４の上に水平方向に配置されている。つまり、一階部分の水平配管３３Ｃは、一階の各ユニット１２と二階の各ユニット２２との接合面の近傍に接合面に沿って配置され、二階部分の水平配管３３Ｃは、二階の各ユニット２２の上面部分に上面に沿って配置されている。
また、水平配管３３Ｃは、天井小梁４４の上に配置される前に、所定の形状（例えば、図２に示すような屈折形状）に予め加工されている。
【００１６】
各配管３３Ａの途中には、外廊下１４に面するように各世帯（各ユニット１２，２２）毎にガスメータ４６が設けられており、各世帯のガス使用量が表示されるようになっている。
【００１７】
このような本実施例においては、以下のようにしてガス配管の施工を含むユニット式建物１０の建築を行う。
先ず、基礎１１に囲まれた空間内に基管３１を配設し、基礎１１の上に一階の各ユニット１２を配置した後に、各ユニット１２の内部に、縦配管である一階用枝管３２Ａおよび配管３３Ａ，３３Ｂをそれぞれ配置する。
【００１８】
次に、予め所定形状に加工された水平配管３３Ｃを一階の各ユニット１２の天井小梁４４の上に配置するとともに、この水平配管３３Ｃと各配管３３Ａ，３３Ｂの上端部との接続を行う。
【００１９】
その後、一階の各ユニット１２の上に、二階の各ユニット２２を積み上げて配置する。そして、各ユニット２２の内部に、縦配管である二階用枝管３２Ｂおよび配管３３Ａ，３３Ｂをそれぞれ配置するとともに、一階用枝管３２Ａと二階用枝管３２Ｂとの接続を行う。
【００２０】
最後に、予め所定形状に加工された水平配管３３Ｃを二階の各ユニット２２の天井小梁４４の上に配置するとともに、この水平配管３３Ｃと各配管３３Ａ，３３Ｂの上端部との接続を行い、ユニット式建物１０の建築を完了する。
【００２１】
このような本実施例によれば、次のような効果がある。
すなわち、一階の各ユニット１２と二階の各ユニット２２との接合面の近傍に配置される水平配管３３Ｃは、従来のように二階の各ユニット２２を配置した後に配置されるのではなく、二階の各ユニット２２を配置する前に配置されるので、二階の各ユニット２２がない状態で一階の各ユニット１２の天井小梁４４の上に水平配管３３Ｃを配置することができる。
このため、従来のように二階の各ユニット２２の存在により配管作業に制約が生じて施工が困難になるという不都合を解消することができ、建築工期の短縮を図ることができる。
【００２２】
そして、このような各ユニット１２，２２の配置とともに行われる配管施工の手順を、法規制により現場での配管施工作業が必須とされるガス配管３０に対して適用したので、つまり予め工場で各ユニット１２，２２内に配管施工を行っておくことができないガス配管３０に対して適用したので、配管作業の容易化の効果をより充分に得ることができる。
【００２３】
また、水平配管３３Ｃを各ユニット１２，２２の天井小梁４４の上に配置するので、水平配管３３Ｃの配置場所を確実に確保することができるうえ、水平配管３３Ｃを施すための特別な支持部材等を別途に設ける必要がないので、一階の各ユニット１２と二階の各ユニット２２との接合面の近傍の構造、および二階の各ユニット２２の上面部分の構造を簡略化することができ、これらの部分の空間を、例えば、収納空間等として用いることにより空間の有効利用を図ることができる。
【００２４】
なお、本発明は前記実施例に限定されるものではなく、本発明の目的を達成できる他の構成も含み、例えば以下に示すような変形等も本発明に含まれるものである。
すなわち、前記実施例では、一階の各ユニット１２の天井小梁４４の上に水平配管３３Ｃを配置した後、二階の各ユニット２２を配置する前に、この水平配管３３Ｃと一階の各ユニット１２の内部の各配管３３Ａ，３３Ｂとを接続したが、これらの水平配管３３Ｃと各配管３３Ａ，３３Ｂとの接続は、一階および二階の各ユニット１２，２２の配置を全て完了した後に行うようにしてもよく、要するに、二階の各ユニット２２を配置する前に、一階の各ユニット１２の天井小梁４４の上に水平配管３３Ｃを配置すればよい。
【００２５】
また、一階用枝管３２Ａと二階用枝管３２Ｂとの接続、あるいは二階の各ユニット２２の天井小梁４４の上に配置された水平配管３３Ｃと二階の各ユニット２２の内部の各配管３３Ａ，３３Ｂとの接続についても、前記実施例の接続時期に限定されるものではなく、要するに、ガス配管３０を構成する各配管の配置さえ所定の手順で行えば、これらの各配管どうしの接続は、その後、いずれの時期に行ってもよい。
【００２６】
さらに、一階用枝管３２Ａ、二階用枝管３２Ｂ、および配管３３Ａ，３３Ｂの各縦配管の配置は、前記実施例の配置順序に限定されるものではなく、例えば、一階および二階の各ユニット１２，２２の配置を全て完了した後に、これらの各縦配管の配置を行うようにしてもよく、要するに、二階の各ユニット２２を配置する前に、一階の各ユニット１２の天井小梁４４の上に水平配管３３Ｃを施せば、各縦配管の配置は、いずれの時期に行ってもよい。
【００２７】
また、前記実施例では、ユニット式建物１０は二階建てとなっていたが、本発明のユニット式建物の配管施工方法が適用される建物は、二階建ての建物に限定されるものではなく、三階建て以上の建物であってもよい。
そして、三階建て以上の建物の場合には、二階の各ユニット２２の上に水平配管３３Ｃを施した後に、図１中二点鎖線に示すように三階の各ユニットを配置し、その後、同様にして水平配管３３Ｃと各階のユニットとの交互配置を繰り返すことにより、ユニット式建物の建築を行えばよい。
【００２８】
また、前記実施例では、ガス配管３０の配管施工方法について述べられていたが、本発明のユニット式建物の配管施工方法は、水道配管等のその他の各種配管についても適用することができる。
【００２９】
さらに、前記実施例では、ユニット式建物１０は、アパート等の集合住宅となっていたが、本発明が適用される建物は、一戸建て住宅、雑居ビル等、いずれの用途の建物であってもよい。
【００３０】
【発明の効果】
以上に述べたように本発明によれば、上階ユニットを下階ユニットの上に配置する前に、これらの接合面の近傍に水平配管を施すので、従来のように上階ユニットの配置後にこの水平配管を施す場合に比べ、配管作業を容易に行うことができ、建築工期を短縮できるという効果がある。
【００３１】
また、本発明の配管施工方法により、ガスを流通させるガス配管や水道水を流通させる水道配管等の各種の配管の施工を容易に行うことができるうえ、特にガス配管等の場合には、法規制により現場での配管施工作業が必須となるため、このガス配管等に本発明の配管施工方法を適用すれば、前述した配管作業の容易化の効果をより充分に得ることができるという効果がある。
【００３２】
そして、水平配管を下階ユニットの天井小梁の上に設置するようにしたため、水平配管の配置場所を確実に確保することができるうえ、水平配管を施すための特別な支持部材等を別途に設ける必要がないので、下階ユニットと上階ユニットとの接合面の近傍の構造を簡略化することができ、この接合面の近傍の空間を、例えば、収納空間等として用いることにより空間の有効利用を図ることができるという効果がある。
【図面の簡単な説明】
【図１】本発明の一実施例を示す分解構成図。
【図２】前記実施例の一部を示す斜視図。
【符号の説明】
１０  ユニット式建物
１２  下階ユニットである一階のユニット
２２  上階ユニットである二階のユニット
３０  ガス配管
３１  基管
３２  縦配管である枝管
３２Ａ  縦配管である一階用枝管
３２Ｂ  縦配管である二階用枝管
３３  端末管
３３Ａ  縦配管である配管
３３Ｂ  縦配管である配管
３３Ｃ  水平配管
４４  天井小梁
【図１】
0003691081.tif 000002
【図２】
0003691081.tif 000003